(57)【要約】【課題】イベント中に撮影した写真を参加者に迅速に提供し、イベント終了後にも参加者同士のコミュニティを維持し活性化する。【解決手段】参加者を撮影するカメラと、カメラとの無線通信が可能なコンピュータと、コンピュータとネットワークを介し通信可能な管理サーバと、カメラにより撮影された画像を被写体となった参加者（撮影参加者）が受け取るために当該参加者に手渡される受取証を印刷するプリンタとを備えるシステムで、管理サーバは、１回の撮影で得られる複数の画像をひと纏まりの画像群として識別する撮影ＩＤを発行する撮影ＩＤ発行部と、画像群に含まれる画像を表示し当該画像を当該撮影ＩＤに対応する撮影参加者がダウンロードできるようにする撮影メンバーページを配信する撮影メンバーページ配信部と、一般の参加者が画像を閲覧し当該画像についてコメントを書き込むことを可能とするイベントページを配信するイベントページ配信部を備える。【選択図】図１
2019008737.tif 000002
【特許請求の範囲】
【請求項１】
イベントの参加者を撮影するデジタルカメラと、
前記デジタルカメラとの無線通信が可能なコンピュータと、
当該コンピュータとネットワークを介して通信が可能な管理サーバと、
前記デジタルカメラにより撮影された画像を被写体となった前記参加者が受け取るために当該被写体となった参加者に手渡される受取証を印刷するプリンタと
を備えたコミュニティ維持活性化システムであって、
前記被写体となった参加者を撮影参加者、当該撮影参加者以外の参加者を一般参加者とそれぞれ称する場合に、
前記管理サーバは、
前記被写体の１回の撮影で得られる１枚以上の画像をひと纏まりの画像群として識別する撮影ＩＤを発行する撮影ＩＤ発行部と、
前記画像群に含まれる画像を表示し且つ当該画像を当該撮影ＩＤに対応する前記撮影参加者がダウンロードできるようにする撮影メンバーページを配信する撮影メンバーページ配信部と、
前記一般参加者が前記デジタルカメラによって撮影された画像を閲覧し且つ当該画像についてコメントを書き込むことを可能とするイベントページを配信するイベントページ配信部と、
前記画像群を前記撮影ＩＤと関連付けて記憶するとともに前記撮影メンバーページおよび前記イベントページの構成に必要な情報を記憶するページ記憶部と、
当該ページ記憶部に対する情報の格納、読み出しおよび更新を行うページ管理部と、
前記撮影メンバーページおよび前記イベントページへのアクセスを受け付けるログイン受付部と、
前記ネットワークを介した通信を可能とするネットワーク通信制御部と
を備え、
前記コンピュータは、
前記撮影ＩＤ発行部により発行された撮影ＩＤを記憶する撮影ＩＤ記憶部と、
前記デジタルカメラとの無線通信を可能とする無線通信制御部と、
前記ネットワークを介した通信を可能とするネットワーク通信制御部と、
前記デジタルカメラから送信される画像を前記管理サーバへ転送する撮影管理部と、
前記受取証を発行する受取証発行部と
を備え、
前記被写体の撮影前に、
前記ページ管理部は、前記撮影ＩＤ発行部に前記撮影ＩＤを発行させるとともに当該撮影ＩＤを前記コンピュータへ前記ネットワークを通じて送信し、
前記撮影管理部は、当該ページ管理部から送信された前記撮影ＩＤを前記撮影ＩＤ記憶部に格納し、
前記被写体の撮影後に、
前記撮影管理部は、撮影された画像を前記デジタルカメラから受信するとともに、当該画像を前記画像群として前記撮影ＩＤ記憶部に格納された前記撮影ＩＤと一緒に前記ネットワークを通じて前記ページ管理部へ送信し、前記撮影ＩＤに関する情報を含む前記受取証を前記受取証発行部に発行させ且つ当該受取証を前記プリンタから出力させ、
前記ページ管理部は、前記撮影管理部から受信した前記画像群を当該画像群と一緒に受信した前記撮影ＩＤと関連付けて前記ページ記憶部に格納するとともに、前記イベントページを通じて書き込まれたコメントを当該書き込みの対象となった画像と関連付けて前記ページ記憶部に格納し、
前記ログイン受付部は、
前記ネットワークを介して前記撮影ＩＤを受信した場合に当該撮影ＩＤに係る前記撮影メンバーページへのアクセスを許可し、
前記ネットワークを介して前記イベントに固有の認証情報を受信した場合に前記イベントページへのアクセスを許可し、
前記ログイン受付部により許可されたことを条件として前記撮影メンバーページ配信部は、前記撮影メンバーページを配信し、
前記ログイン受付部により許可されたことを条件として前記イベントページ配信部は、前記イベントページを配信する
ことを特徴とするコミュニティ維持活性化システム。
【請求項２】
前記ページ記憶部は、前記画像群を複数記憶しており、
前記イベントページは、当該複数の画像群のそれぞれの中から選択された代表画像を並べて縮小表示する目次ページを含む
請求項１に記載のコミュニティ維持活性化システム。
【請求項３】
前記イベントページは、前記目次ページの下層ページとして前記画像群の各々に含まれる画像を縮小表示する撮影グループページを備え、
前記イベントページ配信部は、
当該撮影グループページに表示された各画像に対してコメントを書き込むことを可能とし、
書き込まれたコメントを、当該書き込みの対象となった画像の周囲に表示する
請求項２に記載のコミュニティ維持活性化システム。
【請求項４】
前記管理サーバは、前記ページ記憶部に記憶されている画像をＳＮＳへ投稿するためにＳＮＳサーバへ送信するＳＮＳ投稿部をさらに備え、
前記撮影メンバーページ配信部は、前記撮影メンバーページ内に前記ＳＮＳへの投稿を受け付けるＳＮＳ投稿ボタンを表示する
請求項１から３のいずれか一項に記載のコミュニティ維持活性化システム。
【請求項５】
前記コンピュータは、携帯端末で読み取り可能な二次元コードを生成する二次元コード生成部をさらに備え、
前記受取証発行部は、前記二次元コード生成部によって生成された二次元コードが表示された前記受取証を発行し、
当該二次元コードには、前記撮影メンバーページのＵＲＬおよび前記撮影ＩＤに関する情報が含まれている
請求項１から４のいずれか一項に記載のコミュニティ維持活性化システム。
【請求項６】
前記管理サーバは、前記デジタルカメラによる撮影に先立って前記被写体を表すネームの入力を受け付けるエントリ受付部をさらに備え、
前記被写体の撮影前に、
前記ページ管理部は、前記エントリ受付部がネームの入力を受け付けた場合に、前記撮影ＩＤ発行部による前記撮影ＩＤの発行を行なわせ且つ当該発行された撮影ＩＤの前記コンピュータへの送信を行うとともに、当該発行された撮影ＩＤと前記ネームとを相互に関連付けて前記ページ記憶部に格納する一方、
前記被写体の撮影後に、
前記ページ管理部は、前記撮影管理部から受信した前記画像群と前記撮影ＩＤとを、当該受信した撮影ＩＤと同一の撮影ＩＤと関連付けられて前記ページ記憶部に記憶されているネームと関連付けて前記ページ記憶部に格納する
請求項１から５のいずれか一項に記載のコミュニティ維持活性化システム。
【請求項７】
前記管理サーバは、前記撮影管理部から受信した前記画像群に含まれる各画像を加工する画像加工部をさらに備え、
ページ管理部は、当該画像加工部により加工された画像を前記撮影ＩＤと関連付けて前記ページ記憶部に格納する
請求項１から６のいずれか一項に記載のコミュニティ維持活性化システム。
【請求項８】
前記プリンタは、前記コンピュータと無線通信が可能であり、
前記コンピュータは、前記無線通信制御部を介して前記プリンタと通信を行い、前記受取証を出力させる
請求項１から７のいずれか一項に記載のコミュニティ維持活性化システム。
【請求項９】
前記ページ記憶部は、複数のイベントで撮影された画像群を記憶しており、
前記イベントページは、当該複数のイベントで撮影された画像群に含まれる画像を閲覧し且つ当該画像についてコメントを書き込むことが可能であり、
前記ログイン受付部は、当該複数のイベントのうちのいずれかのイベントに固有の認証情報を受信した場合に前記イベントページへのアクセスを許可する
請求項１から８のいずれか一項に記載のコミュニティ維持活性化システム。
【請求項１０】
前記ページ管理部は、前記イベントページを通じて書き込まれたコメントを、当該書き込みを行った参加者が前記イベントページにアクセスするときに前記ログイン受付部に送信した認証情報と関連付けて前記ページ記憶部に格納し、
前記管理サーバは、
前記認証情報に対応するイベントと、前記書き込みの対象となった画像に係るイベントとが異なるコメントを前記ページ記憶部から抽出するコメント検索部
をさらに備える
請求項９に記載のコミュニティ維持活性化システム。
【請求項１１】
イベントの開催中にデジタルカメラで撮影した参加者の画像を、当該イベントの会場に備えられ前記デジタルカメラと通信が可能なコンピュータとネットワークとを介して受信し、前記画像の被写体となった参加者である撮影参加者による前記画像のダウンロードおよび当該撮影参加者以外の参加者である一般参加者による前記画像に対するコメントの書き込みを可能とするイベント管理サーバであって、
当該イベント管理サーバは、
前記被写体の１回の撮影で得られる１枚以上の画像をひと纏まりの画像群として識別する撮影ＩＤを発行する撮影ＩＤ発行部と、
前記画像群に含まれる画像を表示し且つ当該画像を当該撮影ＩＤに対応する前記撮影参加者がダウンロードできるようにする撮影メンバーページを配信する撮影メンバーページ配信部と、
前記一般参加者が前記デジタルカメラによって撮影された画像を閲覧し且つ当該画像についてコメントを書き込むことを可能とするイベントページを配信するイベントページ配信部と、
前記画像群を前記撮影ＩＤと関連付けて記憶するとともに前記撮影メンバーページおよび前記イベントページの構成に必要な情報を記憶するページ記憶部と、
当該ページ記憶部に対する情報の格納、読み出しおよび更新を行うページ管理部と、
前記撮影メンバーページおよび前記イベントページへのアクセスを受け付けるログイン受付部と、
前記ネットワークを介した通信を可能とするネットワーク通信制御部と
を備え、
前記ページ管理部は、
前記被写体の撮影前に、前記撮影ＩＤ発行部に前記撮影ＩＤを発行させるとともに当該撮影ＩＤを前記コンピュータへ前記ネットワークを通じて送信し、
前記被写体の撮影後に、前記コンピュータが前記デジタルカメラから受信し前記撮影ＩＤと一緒に前記ネットワークを通じて送信された前記画像群を、当該画像群と一緒に受信した前記撮影ＩＤと関連付けて前記ページ記憶部に格納するとともに、前記イベントページを通じて書き込まれたコメントを当該書き込みの対象となった画像と関連付けて前記ページ記憶部に格納し、
前記ログイン受付部は、
前記ネットワークを介して前記撮影ＩＤを受信した場合に当該撮影ＩＤに係る前記撮影メンバーページへのアクセスを許可し、
前記ネットワークを介して前記イベントに固有の認証情報を受信した場合に前記イベントページへのアクセスを許可し、
前記ログイン受付部により許可されたことを条件として前記撮影メンバーページ配信部は、前記撮影メンバーページを配信し、
前記ログイン受付部により許可されたことを条件として前記イベントページ配信部は、前記イベントページを配信する
ことを特徴とするイベント管理サーバ。
【請求項１２】
前記ページ記憶部は、前記画像群を複数記憶しており、
前記イベントページは、当該複数の画像群のそれぞれの中から選択された代表画像を並べて縮小表示する目次ページを含む
請求項１１に記載のイベント管理サーバ。
【請求項１３】
前記イベントページは、前記目次ページの下層ページとして前記画像群の各々に含まれる画像を縮小表示する撮影グループページを備え、
前記イベントページ配信部は、
当該撮影グループページに表示された各画像に対してコメントを書き込むことを可能とし、
書き込まれたコメントを、当該書き込みの対象となった画像の周囲に表示する
請求項１２に記載のイベント管理サーバ。
【請求項１４】
前記ページ記憶部に記憶されている画像をＳＮＳへ投稿するためにＳＮＳサーバへ送信するＳＮＳ投稿部をさらに備え、
前記撮影メンバーページ配信部は、前記撮影メンバーページ内に前記ＳＮＳへの投稿を受け付けるＳＮＳ投稿ボタンを表示する
請求項１１から１３のいずれか一項に記載のイベント管理サーバ。
【請求項１５】
前記デジタルカメラによる撮影に先立って前記被写体を表すネームの入力を受け付けるエントリ受付部をさらに備え、
前記ページ管理部は、
前記被写体の撮影前に、前記エントリ受付部がネームの入力を受け付けた場合に、前記撮影ＩＤ発行部による前記撮影ＩＤの発行を行なわせ且つ当該発行された撮影ＩＤの前記コンピュータへの送信を行うとともに、当該発行された撮影ＩＤと前記ネームとを相互に関連付けて前記ページ記憶部に格納する一方、
前記被写体の撮影後に、前記コンピュータから受信した前記画像群と前記撮影ＩＤとを、当該受信した撮影ＩＤと同一の撮影ＩＤと関連付けられて前記ページ記憶部に記憶されているネームと関連付けて前記ページ記憶部に格納する
請求項１１から１４のいずれか一項に記載のイベント管理サーバ。
【請求項１６】
前記コンピュータから受信した前記画像群に含まれる各画像を加工する画像加工部をさらに備え、
ページ管理部は、当該画像加工部により加工された画像を前記撮影ＩＤと関連付けて前記ページ記憶部に格納する
請求項１１から１５のいずれか一項に記載のイベント管理サーバ。
【請求項１７】
前記ページ記憶部は、複数のイベントで撮影された画像群を記憶しており、
前記イベントページは、当該複数のイベントで撮影された画像群に含まれる画像を閲覧し且つ当該画像についてコメントを書き込むことが可能であり、
前記ログイン受付部は、当該複数のイベントのうちのいずれかのイベントに固有の認証情報を受信した場合に前記イベントページへのアクセスを許可する
請求項１１から１６のいずれか一項に記載のイベント管理サーバ。
【請求項１８】
前記ページ管理部は、前記イベントページを通じて書き込まれたコメントを、当該書き込みを行った参加者が前記イベントページにアクセスするときに前記ログイン受付部に送信した認証情報と関連付けて前記ページ記憶部に格納し、
前記イベント管理サーバは、
前記認証情報に対応するイベントと、前記書き込みの対象となった画像に係るイベントとが異なるコメントを前記ページ記憶部から抽出するコメント検索部
をさらに備える
請求項１７に記載のイベント管理サーバ。
【発明の詳細な説明】
【技術分野】
【０００１】
本発明は、コミュニティ維持活性化システムおよびイベント管理サーバに係り、特に、パーティなどのイベント開催中に撮影した写真を通じてイベント終了後にも参加者相互や開催者と参加者のコミュニケーションを可能とすることによりコミュニティを維持し活性化するシステムに関する。
【背景技術】
【０００２】
近年、企業のマーケティング戦略やブランディング施策の一環としてパーティのような様々なイベントが開催されることがある。このようなイベントの最中には、持参したデジタルカメラやスマートフォンによって参加者同士でも写真が撮られるが、イベント開催者側が準備したプロのカメラマンによって写真撮影が行なわれることがある。高度な撮影技術と多彩な表現力を持つプロカメラマンが撮影したスナップ写真をイベント参加の記念に提供するとともに、写真モデルになったような非日常的な体験を参加者に楽しんで貰うためである。
【０００３】
また、イベントにおいて撮影された画像を提供するシステムを開示するものとして、下記特許文献がある。
【先行技術文献】
【特許文献】
【０００４】
【特許文献１】特開２０１６−６６９９８号公報（特許第５９３９６５９号）
【発明の概要】
【発明が解決しようとする課題】
【０００５】
ところで、イベント中にプロカメラマンにより撮影された写真は従来、記録媒体に格納して後日個別に郵送するか、カメラマンが会社やオフィスに持ち帰ってサーバにデータを格納し、参加者にダウンロードさせるなどの方法により提供されることが殆どで、参加者は数日後でないと写真を見ることも利用することも出来ない不便さがあった。
【０００６】
また従来のイベントは、その場限りのものとなりがちな面がある。イベント参加者にとっては、イベント当日には参加者同士で活発なコミュニケーションがとられてもイベントが終了するとその繋がりが薄れてしまいがちである。一方、開催者側にとっても、参加者のメールアドレスや住所・氏名などの個人情報を入手しておくことが出来ない限り、各参加者や、イベント中に形成された参加者同士のコミュニティに後日アクセスすることは難しい。
【０００７】
したがって、せっかくプロカメラマンを準備してイベントを開催したにもかかわらず撮影した写真を各参加者に渡すだけに留まり、イベントを開催した意図（例えば企業が開催する場合に商品・サービスの宣伝効果や顧客ロイヤリティの形成など）をイベント当日には伝えることが出来たとしても、その継続性や発展性に欠ける面がある。
【０００８】
他方、前記特許文献１に記載の発明は、結婚披露宴のようなイベントにおいて記念写真や記念動画を撮影して招待客（参加者）に提供するシステムに関するもので、イベントで撮影された画像を管理サーバにアップロードするとともに、ＩＤを含む二次元コードを印刷したシートを参加者に渡し、この二次元コードを参加者が自分の携帯端末で読み込むことにより管理サーバから携帯端末に画像をダウンロードできるようにしている。
【０００９】
しかしながらこの文献記載の発明は、参加者への写真提供の迅速性は実現できたとしても、依然としてイベント中に撮影された写真や動画を参加者に提供するだけに留まり、イベントで形成されたコミュニティをイベント終了後にも維持し持続的に利用できるものではない。
【００１０】
したがって、本発明の目的は、イベント中に撮影した写真を参加者に迅速に提供することに加えて、イベントの終了後にも参加者同士のコミュニティを維持し活性化することにある。
【課題を解決するための手段】
【００１１】
前記課題を解決し目的を達成するため、本発明に係るコミュニティ維持活性化システムは、イベントの参加者を撮影するデジタルカメラと、当該デジタルカメラとの無線通信が可能なコンピュータと、当該コンピュータとネットワークを介して通信が可能な管理サーバと、前記デジタルカメラにより撮影された画像を被写体となった参加者が受け取るために当該被写体となった参加者に手渡される受取証を印刷するプリンタとを備える。
【００１２】
また、被写体となった参加者を「撮影参加者」、撮影参加者以外の参加者を「一般参加者」とそれぞれ称する場合に、上記管理サーバは、被写体の１回の撮影で得られる１枚以上の画像をひと纏まりの画像群として識別する撮影ＩＤを発行する撮影ＩＤ発行部と、前記画像群に含まれる画像を表示し且つこれらの画像を撮影ＩＤに対応する撮影参加者がダウンロードできるようにする撮影メンバーページを配信する撮影メンバーページ配信部と、一般参加者が前記デジタルカメラによって撮影された画像を閲覧し且つこれらの画像についてコメントを書き込むことを可能とするイベントページを配信するイベントページ配信部と、前記画像群を撮影ＩＤと関連付けて記憶するとともに撮影メンバーページおよびイベントページの構成に必要な情報を記憶するページ記憶部と、ページ記憶部に対する情報の格納、読み出しおよび更新を行うページ管理部と、撮影メンバーページおよびイベントページへのアクセスを受け付けるログイン受付部と、ネットワークを介した通信を可能とするネットワーク通信制御部を備えている。
【００１３】
また上記コンピュータは、撮影ＩＤ発行部により発行された撮影ＩＤを記憶する撮影ＩＤ記憶部と、前記デジタルカメラとの無線通信を可能とする無線通信制御部と、ネットワークを介した通信を可能とするネットワーク通信制御部と、前記デジタルカメラから送信される画像を管理サーバへ転送する撮影管理部と、前記受取証を発行する受取証発行部とを有する。
【００１４】
そして、被写体の撮影前に、ページ管理部が撮影ＩＤ発行部に撮影ＩＤを発行させるとともにこの撮影ＩＤを前記コンピュータへネットワークを通じて送信し、撮影管理部はページ管理部から送信された撮影ＩＤを撮影ＩＤ記憶部に格納する。なお、このように管理サーバにより撮影ＩＤが発行され、前記コンピュータが撮影ＩＤを受信することにより撮影の準備が完了するが、当該準備が完了したことをカメラマンに知らせるため、撮影管理部はさらに、撮影ＩＤを受信したことを前記コンピュータのディスプレイに表示するとともに、撮影準備が完了した（撮影ＩＤが発行された）旨の通知を無線通信制御部を介して前記デジタルカメラへ送信することが望ましい。
【００１５】
一方、被写体の撮影後には、撮影管理部が、撮影された画像をデジタルカメラから受信するとともに、当該画像を前記画像群として撮影ＩＤ記憶部に格納された撮影ＩＤと一緒にネットワークを通じてページ管理部へ送信し、撮影ＩＤに関する情報を含む受取証を受取証発行部に発行させ、この受取証をプリンタから出力させる。さらにページ管理部は、撮影管理部から受信した画像群を当該画像群と一緒に受信した撮影ＩＤと関連付けてページ記憶部に格納するとともに、イベントページを通じて書き込まれた（コメントを書き込んだ参加者からイベントページ配信部が受信した）コメントを当該書き込みの対象となった画像と関連付けてページ記憶部に格納する。
【００１６】
ログイン受付部は、ネットワークを介して撮影ＩＤを受信した場合に当該撮影ＩＤに係る撮影メンバーページへのアクセスを許可するとともに、ネットワークを介してイベントに固有の認証情報を受信した場合にはイベントページへのアクセスを許可する。そして、ログイン受付部により許可されたことを条件として、撮影メンバーページ配信部は撮影メンバーページを配信し、イベントページ配信部はイベントページを配信する。なお、上記「イベントに固有の認証情報」とは、例えば、当該イベントに固有のＩＤ（Identification／識別子）であるイベントＩＤとパスワードで、イベントの開催に先立ち予め定めておけば良い。
【００１７】
本発明のシステムでは、例えばイベント開催者が準備したプロのカメラマンがデジタルカメラを使用してイベント会場内で参加者を写真撮影し、得られた画像を、イベント会場内に備えたコンピュータとネットワークを介して管理サーバにアップロードし、管理サーバが配信するＷｅｂ（ウェブ）ページ（撮影メンバーページ）を通じて被写体となった参加者（これを「撮影参加者」又は「撮影グループ」と称する）に提供する。撮影参加者は、例えばイベント中に所持している携帯端末（例えばスマートフォン）で撮影メンバーページにアクセスしダウンロードすることにより画像を直ちに入手することが出来る。
【００１８】
また、管理サーバは、撮影参加者以外の一般参加者が上記のように撮影された画像を閲覧し、各画像にコメント（メッセージ）を書き込むことが出来るようにＷｅｂページ（イベントページ）を配信する。イベントページへは撮影参加者もアクセスして書き込みを行うことが出来るが、一般参加者は例えば所持している携帯端末（例えばスマートフォン）イベントページにアクセスし、イベント中に上記デジタルカメラで撮影され掲載された画像を閲覧し、コメントを書き込むことが出来る。
【００１９】
なお、イベントページを閲覧したり書き込みを行える者をイベントの参加者のみに制限するため、前に述べたようにイベントページへのアクセスにあたり当該イベントに固有の認証情報（例えばイベントＩＤとパスワード）の入力をログイン受付部によって要求するが、この認証情報は、イベントページのＵＲＬとともに、例えばイベント会場に掲示したり、入場のときに手渡すパンフレットに印刷しておくなどの方法によりイベント参加者に通知すれば良い。
【００２０】
イベントページはイベントの開催中だけでなく終了後にも管理サーバにより配信される（撮影メンバーページも同様）。したがって、参加者はイベントが終っても画像を閲覧し書き込みを行うことが可能で、本システムによればイベント終了後にも参加者同士の交流が継続しやすい。また、撮影グループは当該イベントに一緒に参加した者同士に限られず、イベント中に知り合った者同士で撮影グループが形成されることもある。このようなコミュニティはイベント終了後には自然消滅してしまうことも少なくないが、終了後にもコメントを書き合い、交流できる場を提供できることから、プロカメラマンによる記念撮影という希少な体験を共有した者同士で形成されたコミュニティが維持されやすくなる。
【００２１】
またイベントの開催者側にとっても後日、例えばイベントページや撮影メンバーページに新たなイベントの案内を掲載したり、新製品・新サービスの案内、自社の製品・サービスのイメージや顧客ロイヤリティの向上に役立つ画像を掲載したりコメントを書き込むことにより、あるいは自社の社員をイベントに参加させてイベント当日に多くの撮影グループを形成するとともにその後当該社員が積極的に書き込みを行うなどの方法により、イベントを開催した意図を終了後にも持続させ、イベントを発展的に利用することが可能となる。
【００２２】
さらに、上記のような交流を実現するのに、本名や住所・メールアドレスなどの個人情報を介在させる必要がないから、参加者にとって心理的な負担がなく気軽に参加してイベントを楽しむことができ、開催者側にとっても参加者を集めやすい利点がある。
【００２３】
本発明に係る上記システムでは、下記（１）〜（９）のような各態様、またはこれらの態様のうちの２以上を組み合わせた態様をさらに採用することが可能である。
【００２４】
（１）ページ記憶部が画像群を複数記憶しており、イベントページが当該複数の画像群のそれぞれの中から選択された代表画像を並べて縮小表示（サムネイル表示）する目次ページを含む。
【００２５】
イベント中にどのような撮影グループが出来たかひと目で分かるようにするためである。代表画像の選択方法は、当該撮影グループについて機械的に先頭の（最初に撮影された）画像を選択するようにしても良いが、例えば、管理サーバに顔認識機能を備えて顔が最も多く写っている画像を選択するなどの方法によっても良い。また、代表画像の枚数は、典型的には各撮影グループについて１枚ずつとするが、２枚以上の縮小画像を代表画像として表示するようにしても良い。
【００２６】
（２）イベントページが、上記目次ページの下層ページとして画像群の各々に含まれる画像を縮小表示する撮影グループページを備えるようにし、イベントページ配信部は、当該撮影グループページに表示された各画像に対してコメントを書き込むことを可能とし、書き込まれたコメントを当該書き込みの対象となった画像の周囲に表示する。
【００２７】
（３）管理サーバが、ページ記憶部に記憶されている画像をＳＮＳへ投稿するためにＳＮＳサーバへ送信するＳＮＳ投稿部をさらに備え、撮影メンバーページ配信部が、撮影メンバーページ内にＳＮＳへの投稿を受け付けるＳＮＳ投稿ボタンを表示する。イベントの参加中に撮影画像を迅速かつ簡便にＳＮＳに投稿可能とするためである。
【００２８】
（４）前記コンピュータが、携帯端末で読み取り可能な二次元コードを生成する二次元コード生成部をさらに備え、受取証発行部が、二次元コード生成部によって生成された二次元コードが表示された受取証を発行し、当該二次元コードには、撮影メンバーページのＵＲＬおよび撮影ＩＤに関する情報が含まれている。
【００２９】
受取証に印刷されている二次元コード（例えばＱＲコード（登録商標））を、所持している携帯端末で読み取るだけの簡単な操作で撮影メンバーページにアクセスして撮影画像を入手できるようにするためである。
【００３０】
（５）管理サーバが、デジタルカメラによる撮影に先立って被写体を表すネームの入力を受け付けるエントリ受付部をさらに備え、被写体の撮影前に、ページ管理部が、エントリ受付部がネームの入力を受け付けた場合に、撮影ＩＤ発行部による撮影ＩＤの発行を行なわせ且つ当該発行された撮影ＩＤのコンピュータへの送信を行うとともに、当該発行された撮影ＩＤとネームとを相互に関連付けてページ記憶部に格納する一方、被写体の撮影後に、ページ管理部が、撮影管理部から受信した画像群と撮影ＩＤとを、当該受信した撮影ＩＤと同一の撮影ＩＤと関連付けられてページ記憶部に記憶されているネームと関連付けてページ記憶部に格納する。
【００３１】
このような態様によれば、イベント中に複数回撮影を受けた撮影参加者（撮影グループ）がいる場合に、当該撮影参加者の画像を上記ネームによって検索したり、当該撮影参加者のすべての画像を集めて纏めることが可能となる。なお、上記「ネーム」とは、当該撮影参加者を特定できるものであれば良く、典型的にはニックネームであるが、本名でも他の数字や記号などであっても構わない。
【００３２】
（６）管理サーバが、撮影管理部から受信した画像群に含まれる各画像を加工する画像加工部をさらに備え、ページ管理部が、当該画像加工部により加工された画像を撮影ＩＤと関連付けてページ記憶部に格納する。
【００３３】
上記「加工」としては、例えば、サイズ変更やトリミング、ロゴ（例えばイベント名や主催企業のロゴなど）の挿入などの処理を行う。画像をどのように加工するかは、画像加工部に予め設定しておけば良く、このような態様によればイベント会場で撮影され管理サーバへアップロードされた画像は自動的に（予め設定されたとおりに）加工され、ページ記憶部に保存されることとなるから、撮影する側に画像加工の負担をかけることがなく、イベント会場のカメラマンやスタッフ（アシスタント）は撮影に専念できる。
【００３４】
（７）前記プリンタが前記コンピュータと無線通信が可能であり、前記コンピュータは、前記無線通信制御部を介して当該プリンタと通信を行い、前記受取証を出力させる。
【００３５】
撮影を行うデジタルカメラは会場内の前記コンピュータと無線通信が可能であるが、さらに受取証を印刷するプリンタもコンピュータと無線通信が可能な上記態様によれば、システムの機動性や利便性を増大させることが出来る。すなわち、予め決められた（固定された）ブースだけで撮影を受けるだけなく、カメラマンとともに撮影アシスタントがコンピュータ（例えばタブレット端末）とプリンタ（例えばポータブルプリンタ）を持ち歩いて会場内を自由に移動することが可能となるから、参加者の間に入り込んで積極的に撮影を受け付け、受取証を直ちにプリントアウトして手渡し、次の撮影を受け付けることが可能となる。
【００３６】
（８）ページ記憶部が複数のイベントで撮影された画像群を記憶しており、イベントページは当該複数のイベントで撮影された画像群に含まれる画像を閲覧し且つ当該画像についてコメントを書き込むことが可能であり、ログイン受付部が、当該複数のイベントのうちのいずれかのイベントに固有の認証情報を受信した場合にイベントページへのアクセスを許可する。
【００３７】
（９）上記態様（８）において、ページ管理部が、イベントページを通じて書き込まれたコメントを、当該書き込みを行った参加者がイベントページにアクセスするときにログイン受付部に送信した認証情報（例えばイベントＩＤ）と関連付けてページ記憶部に格納し、  管理サーバが、前記認証情報に対応するイベントと、前記書き込みの対象となった画像に係るイベントとが異なるコメントをページ記憶部から抽出するコメント検索部をさらに備える。
【００３８】
上記（８）〜（９）の態様は複数のイベントを管理サーバが管理するものであり、異なる趣味嗜好を持ち普段接点のない者同士を結びつける新たな出会いを提供できる利点がある。具体的には次のとおりである。
【００３９】
例えば結婚相談所は、出会いの機会を提供するために様々なパーティをイベントとして従来から開催している。このようなパーティは、共通の趣味嗜好を有する者同士が集まるような企画をすることで参加者同士の会話を盛んにできる一方、趣味の話しに留まってそれ以上交際が進展せず、最終的な目的である結婚にまで結びつかない面があった。他方、従来とは逆に全く異なる趣味趣向の者（例えば生け花が趣味の者とサーフィンが趣味の者など）同士が集う合同パーティを開催したところ、予想外に交際が進展するケースが見られた。
【００４０】
そこで、上記（８）〜（９）の態様では、複数のイベントの参加者間で画像の閲覧や書き込みを可能とすることにより、異種イベント参加者間に交流の「場」を提供する。書き込みが行われたと言うことは関心がある可能性が高いから、例えば、上記合同パーティを新たに開催する場合に、異なるイベント画像への書き込みに着目し、書込者（コメントを書き込んだ者）が参加していたイベント（これは当該書込者がイベントページにログインしたときに使用した認証情報（例えばイベントＩＤ）で知ることが出来る）と、当該コメントが書き込まれた画像のイベントが一致しないコメントをコメント検索部によりピックアップし、これら２つのイベントの組み合わせ（書込者の参加イベントと当該書込み対象となった画像のイベント）のうち最も多い組み合わせの合同パーティを企画することにより、パーティの成功確立を高めることが出来る。
【００４１】
また、本発明に係るイベント管理サーバは、上記本発明に係るコミュニティ維持活性化システムの管理サーバと同様の特徴を有するものである。
【００４２】
具体的には、本発明のイベント管理サーバは、イベントの開催中にデジタルカメラで撮影した参加者の画像を、当該イベントの会場に備えられ前記デジタルカメラと通信が可能なコンピュータとネットワークとを介して受信し、前記画像の被写体となった参加者である撮影参加者による画像のダウンロードおよび当該撮影参加者以外の参加者である一般参加者による前記画像に対するコメントの書き込みを可能とするイベント管理サーバである。
【００４３】
また当該イベント管理サーバは、前記被写体の１回の撮影で得られる１枚以上の画像をひと纏まりの画像群として識別する撮影ＩＤを発行する撮影ＩＤ発行部と、前記画像群に含まれる画像を表示し且つ当該画像を当該撮影ＩＤに対応する撮影参加者がダウンロードできるようにする撮影メンバーページを配信する撮影メンバーページ配信部と、一般参加者が前記デジタルカメラによって撮影された画像を閲覧し且つ当該画像についてコメントを書き込むことを可能とするイベントページを配信するイベントページ配信部と、前記画像群を前記撮影ＩＤと関連付けて記憶するとともに撮影メンバーページおよびイベントページの構成に必要な情報を記憶するページ記憶部と、当該ページ記憶部に対する情報の格納、読み出しおよび更新を行うページ管理部と、撮影メンバーページおよびイベントページへのアクセスを受け付けるログイン受付部と、ネットワークを介した通信を可能とするネットワーク通信制御部とを備える。
【００４４】
そして、上記ページ管理部は、被写体の撮影前に、撮影ＩＤ発行部に撮影ＩＤを発行させるとともに当該撮影ＩＤを上記コンピュータへネットワークを通じて送信し、被写体の撮影後に、上記コンピュータがデジタルカメラから受信し撮影ＩＤと一緒にネットワークを通じて送信された画像群を、当該画像群と一緒に受信した撮影ＩＤと関連付けてページ記憶部に格納するとともに、イベントページを通じて書き込まれたコメントを当該書き込みの対象となった画像と関連付けてページ記憶部に格納する。またログイン受付部は、ネットワークを介して撮影ＩＤを受信した場合に当該撮影ＩＤに係る撮影メンバーページへのアクセスを許可し、ネットワークを介してイベントに固有の認証情報（例えばイベントＩＤとパスワード）を受信した場合にイベントページへのアクセスを許可する。さらに、ログイン受付部により許可されたことを条件として、撮影メンバーページ配信部は撮影メンバーページを配信し、イベントページ配信部はイベントページを配信する。
【００４５】
なお、前記コミュニティ維持活性化システムでは、より具体的な態様として（１）〜（９）の態様を説明したが、当該システムと同様に本発明に係る上記イベント管理サーバにおいても、前記態様（１）〜（３）、（５）〜（６）および（８）〜（９）、またはこれらの態様のうちの２以上を組み合わせた態様をさらに採用することが可能である。
【発明の効果】
【００４６】
本発明によれば、イベント中に撮影して貰った写真を参加者は即座に利用することが出来るとともに、イベント終了後にもイベントで形成されたコミュニティを維持し活性化することが出来る。
【００４７】
本発明の他の目的、特徴および利点は、図面に基づいて述べる以下の本発明の実施の形態の説明により明らかにする。なお、各図中、同一の符号は、同一又は相当部分を示す。
【図面の簡単な説明】
【００４８】
【図１】図１は、本発明の第１の実施形態に係るコミュニティ維持活性化システムを示すブロック図である。
【図２】図２は、前記第１実施形態のシステムにおける処理手順を示す図である。
【図３】図３は、前記第１実施形態のシステムで使用する受取証の一例を示す図である。
【図４】図４は、前記第１実施形態のシステムのページ記憶部における画像の管理テーブルを示す図である。
【図５】図５は、前記第１実施形態のシステムにおける撮影メンバーページ内の撮影グループページ（コメントが書き込まれていない状態）を模式的に示す図である。
【図６】図６は、前記第１実施形態のシステムにおける撮影メンバーページ内の撮影グループページ（コメントが書き込まれた状態）を模式的に示す図である。
【図７】図７は、前記第１実施形態のシステムにおける撮影メンバーページ内の撮影画像ページを模式的に示す図である。
【図８】図８は、前記第１実施形態のシステムにおける撮影メンバーページ内のコメント入力ページを模式的に示す図である。
【図９】図９は、前記第１実施形態のシステムにおけるイベントページ内の目次ページを模式的に示す図である。
【図１０】図１０は、本発明の第２の実施形態に係るコミュニティ維持活性化システムのイベント管理サーバを示すブロック図である。
【図１１】図１１は、前記第２実施形態のシステムにおける処理手順を示す図である。
【図１２】図１２は、本発明の第３の実施形態に係るコミュニティ維持活性化システムのイベント管理サーバを示すブロック図である。
【図１３】図１３は、前記第３実施形態のシステムにおけるイベントページ内の目次ページを模式的に示す図である。
【図１４】図１４は、前記第３実施形態のイベント管理サーバ内のページ記憶部における画像の管理テーブルを示す図である。
【発明を実施するための形態】
【００４９】
〔第１実施形態〕
図１に示すように、本発明の第１の実施形態に係るコミュニティ維持活性化システムは、イベント会場において参加者を撮影するカメラ４１と、撮影した画像を保存してＷｅｂページ（撮影メンバーページ及びイベントページ）を通じて画像のダウンロードや閲覧、コメントの書き込みを可能とするイベント管理サーバ１１と、カメラ４１で撮影した画像を管理サーバ１１へ転送するイベント会場ＰＣ（パーソナルコンピュータ）３１と、撮影した画像をダウンロードするための受取証を印刷するプリンタ４２とからなる。なお、以下、イベント管理サーバ１１を「管理サーバ」、イベント会場ＰＣ３１を「会場ＰＣ」とそれぞれ称する。また、ブロック図に示す各部構成は、コンピュータソフトウェアまたはハードウェアにより実現することが可能である。
【００５０】
イベント会場には撮影ブースを設け、このブースに上記カメラ４１、会場ＰＣ３１およびプリンタ４２を配置する。一方、管理サーバ１１は、イベント開催者の企業や本実施形態のシステムの提供会社などのイベント会場とは別の場所に、会場ＰＣ３１とインターネット５１を介して通信可能に設置する。
【００５１】
カメラ４１はデジタルカメラで、イベント開催者が準備するカメラマンが持ち撮影を行う。会場ＰＣ３１は例えばタブレット型ＰＣで、カメラマンが撮影に専念できるようアシスタントが持ち操作する。カメラ４１とプリンタ４２は共に会場ＰＣ３１とＷｉ−Ｆｉ接続により無線通信が可能である。また管理サーバ１１は、参加者が所持する携帯端末（スマートフォン）６１やＳＮＳ（Social Networking Service）サーバ７１とインターネット５１を介して互いに通信することが可能である。
【００５２】
管理サーバ１１は、カメラ４１による撮影を希望する参加者のエントリを受け付けるエントリ受付部１２と、１回の撮影で得られる複数枚の画像（画像群）を識別する撮影ＩＤを発行する撮影ＩＤ発行部１３と、撮影された画像を加工する画像加工部１５と、撮影された画像を記憶するページ記憶部１６と、ページ記憶部１６に対する情報の格納（保存／記憶）および取出し（読出し）ならびに保存されている情報の更新を行うページ管理部１４と、被写体となった撮影参加者が画像をダウンロードできるように撮影メンバーページを配信する撮影メンバーページ配信部１８と、撮影参加者以外の一般参加者が画像を閲覧しコメントを書き込めるようにイベントページを配信するイベントページ配信部１９と、撮影メンバーページやイベントページへのアクセスを受け付けるログイン受付部１７と、撮影メンバーページから画像をＳＮＳへ投稿できるようにするＳＮＳ投稿部２０と、インターネット５１を介した通信を制御する通信制御部２１を有する。
【００５３】
また上記ページ記憶部１６には、撮影画像のほか、撮影ＩＤや、エントリ時に入力されたニックネーム、参加者により書き込まれたコメント、認証情報（イベントＩＤ及びパスワード）、ページ構成要素（Ｗｅｂページ内のタイトルや説明書きのようなテキスト、絵図、レイアウト情報等）など前記Ｗｅｂページ（撮影メンバーページ及びイベントページ）に関連する各種の情報が格納されている。
【００５４】
一方、会場ＰＣ３１は、管理サーバ１１により発行される撮影ＩＤの受信やカメラ４１への撮影準備完了の通知、カメラ４１から受信した撮影画像の管理サーバ１１への転送、受取証の発行指示などを行う撮影管理部３２と、撮影ＩＤを記憶する撮影ＩＤ記憶部３３と、受取証を発行する受取証発行部３４と、ＱＲコードを生成するＱＲコード生成部３５と、カメラ４１及びプリンタ４２との無線通信を制御する無線通信制御部３６と、インターネット５１を介した通信を制御する通信制御部３７を備えている。
【００５５】
本実施形態に係るシステムの動作について、図２ならびに図３〜図９をも参照して順に説明する。
【００５６】
〔エントリ〕
撮影を希望するイベント参加者（１人でも複数人からなるグループでも良い）は、会場内の撮影ブースで申し込み（エントリ）を行う。このエントリは、まず当該ブースの入口看板に掲載されたＱＲコードを撮影希望者が持つ携帯端末で読み取る。このＱＲコードは、後に述べる受取証８１（図３）に印刷されたＱＲコード８２とは異なるエントリ用のコードで、インターネット５１を介して管理サーバ１１のエントリ受付部１２に接続するＵＲＬとエントリ要求を含んでおり、このエントリ用ＱＲコードを携帯端末６１のＱＲコード読取部６２を使用して読み取ると、Ｗｅｂブラウザ（以下単に「ブラウザ」と言う）６３は通信制御部６６およびインターネット５１を介して管理サーバ１１に接続しエントリ要求を送信する（図２のステップＳ１００）。
【００５７】
エントリ要求を受けるとエントリ受付部１２は当該携帯端末６１へエントリフォームを送信する。このエントリフォームはニックネームの入力を求めるもので、撮影希望者が自分ないし自分達のニックネームを入力し送信すると、エントリ受付部１２はこれをページ管理部１４に転送する。ニックネームを受けたページ管理部１４は、撮影ＩＤ発行部１３に撮影ＩＤを発行させ（ステップＳ１０１）、撮影ＩＤ発行部１３によって発行された撮影ＩＤをニックネームと関連付けてページ記憶部１６に格納する（ステップＳ１０２）。なお、この撮影ＩＤとは、当該エントリによって撮影される複数枚の画像を一括して他の撮影（他の撮影希望者の画像）と区別するもので、エントリ毎にユニークな撮影ＩＤが発行される。
【００５８】
また撮影ＩＤ発行部１３から撮影ＩＤを受けたページ管理部１４は、この撮影ＩＤを通信制御部２１およびインターネット５１を介して会場ＰＣ３１へ送信する。会場ＰＣ３１では撮影管理部３２が、ページ管理部１４から受信した撮影ＩＤを撮影ＩＤ記憶部３３に格納するとともに（ステップＳ１０３）、撮影ＩＤが発行され撮影準備が完了した旨の通知を、会場ＰＣのディスプレイに表示し（ステップＳ１０４）カメラ４１に対し無線通信制御部３６を介して送信する。これによりエントリ（撮影準備）が完了する。
【００５９】
〔撮影〕
撮影はカメラ４１を持ったカメラマンが行い、例えば様々なアングルやポーズによって１回の撮影で複数枚の画像を撮影する（ステップＳ１０５）。撮影により得られた画像は、撮影完了後直ちに一括して会場ＰＣ３１へ送信する。無線通信制御部３６を介して画像を受信した会場ＰＣ３１では、撮影管理部３２が、これらの画像を撮影ＩＤ記憶部３３に記憶されている撮影ＩＤと一緒に（関連付けて）インターネット５１を介して管理サーバ１１へ送信するとともに、受取証発行部３４に当該撮影ＩＤを提供し受取証８１の発行を要求する。
【００６０】
この発行要求を受けた受取証発行部３４は、当該撮影ＩＤを含んだ撮影メンバーページのＵＲＬをコード化したＱＲコードをＱＲコード生成部３５に生成させ、生成されたＱＲコードが掲載された受取証８１（図３参照）を発行し（ステップＳ１０６）、無線通信部３６を介してプリンタ４２に送信する。プリンタ４２は受取証８１を印刷し、印刷された受取証８１は被写体となった当該撮影参加者にアシスタントが手渡し、これにより１回の撮影は終了する。なお、撮影参加者が複数人のグループの場合には、受取証８１は人数分印刷することとして各人に受取証８１を手渡せば良い。
【００６１】
〔画像の保存〕
会場ＰＣ３１から管理サーバ１１へ転送された撮影画像は、画像加工部１５において例えばリサイズやトリミング、ロゴ（例えばイベント名や主催企業のロゴなど）の挿入などの加工が行なわれた後（ステップＳ１０７）、ページ管理部１４により撮影ＩＤとニックネームに関連付けられてページ記憶部１６に格納される。すなわち、ページ管理部１４は、会場ＰＣ３１から一緒に送信された撮影ＩＤと同一の撮影ＩＤ（これは当該撮影に先立って撮影ＩＤ発行部１３により発行され、会場ＰＣ３１へ送信するとともにページ記憶部１６に格納したものである）をページ記憶部１６内で検索し、発見した撮影ＩＤと、当該撮影ＩＤに関連付けて記憶されているニックネームと、前記加工された画像とを、相互に関連付けてページ記憶部１６に格納する（ステップＳ１０８）。
【００６２】
図４はページ記憶部１６内の撮影画像を管理するテーブルを示すものであるが、この図に示すように、ニックネーム（「花子」，「チェリーズ」，「鉄ちゃん」）と、撮影ＩＤ（「2017hwp001」，「2017hwp002」，「2017hwp003」）と、撮影された画像（画像番号「P01」，「P02」等）がそれぞれ関連付けられて記憶されている。
【００６３】
なお、画像番号とは１回の撮影で得られた複数の画像に対して付される連続番号で、例えば、撮影ＩＤ「2017hwp001」の下で第１回の撮影を受けたニックネーム「花子」なる撮影参加者は、２枚の写真「P01」と「P02」を撮って貰ったことを示している。同様に、撮影ＩＤ「2017hwp002」の下で第２回の撮影を受けたニックネーム「チェリーズ」なる撮影参加者は、５枚の写真「P01」〜「P05」を撮って貰っている。同図に示す「コメント（書き込み）」は、イベントページにおいてコメントが書き込まれたときに各画像に関連付けられて保存されるが、これについては後に述べる。
【００６４】
〔撮影メンバーページ〕
撮影参加者は、撮影メンバーページ（撮影メンバーサイト）にアクセスすることにより、イベント中に撮影して貰った自分（自分達）の画像をダウンロードし、またＳＮＳへ画像を投稿することが出来る。
【００６５】
具体的には、前記受取証８１を受け取った撮影参加者は、画像をダウンロードするため受取証８１に掲載されたＱＲコード８２を携帯端末６１で読み取る。携帯端末６１のＱＲコード読取部６２が当該ＱＲコード８２を読み取ると、ブラウザ６３は通信制御部６６を介しインターネット５１経由で管理サーバ１１にアクセスして撮影ＩＤを送信する。
【００６６】
管理サーバ１１では、ログイン受付部１７が撮影ＩＤを受信し、受信した撮影ＩＤがページ記憶部１６に記憶されているか検索する（ステップＳ１０９）。ページ記憶部１６に当該撮影ＩＤが記憶されていれば、ログイン受付部１７はログインを許可し、当該撮影ＩＤを撮影メンバーページの配信先情報（当該携帯端末６１のアドレス）とともに撮影メンバーページ配信部１８に提供する。一方、携帯端末６１から送信された情報に、ページ記憶部１６に記憶されている撮影ＩＤが含まれていなければ、ログイン受付部１７はログインを拒否する。
【００６７】
ログイン受付部１７から撮影ＩＤと配信先情報を受けた撮影メンバーページ配信部１８は、当該撮影ＩＤに関連付けられてページ記憶部１６に記憶されている画像と、撮影メンバーページの構成に必要な情報をページ管理部１４に要求する。この要求に応えてページ管理部１４はこれらの情報をページ記憶部１６から読み出し、撮影メンバーページ配信部１８に提供する。撮影メンバーページ配信部１８は、撮影メンバーページの構成に必要なこれらの情報を配信先となる携帯端末６１へインターネット５１を通じて送信する。当該情報を受信した携帯端末６１のブラウザ６３は、携帯端末６１のディスプレイ（図示せず）に撮影メンバーページを表示する。
【００６８】
図５〜図８は携帯端末６１のディスプレイに表示された撮影メンバーページを示すもので、図５はトップページとして表示される撮影グループページ、図６は図５と同じ撮影グループページであるが後に述べるコメント入力ページ（図８）を通じてコメントが書き込まれた状態を示したもの、図７は撮影グループページ（図５〜図６）の下層ページとなる撮影画像ページ、図８は撮影画像ページ（図７）のさらに下層ページとなるコメント入力ページである。
【００６９】
図５に示すようにトップページとなる撮影グループページでは、当該撮影ＩＤの下で撮影された（当該撮影ＩＤに関連付けられている）すべての画像Ｐ１〜Ｐ７がサムネイル表示される。そして、表示されたサムネイルＰ１〜Ｐ７のいずれかをタップ（選択）すると、タップされた画像の撮影画像ページ（図７）へ移動する。図示の例では、画像Ｐ６を選択した。
【００７０】
図７に示すように撮影画像ページでは、画像Ｐ６の保存を指示するための「保存」ボタンＢ１、ＳＮＳへの画像の投稿を指示する「ＳＮＳ投稿」ボタンＢ２，Ｂ３、トップページへの移動を指示する「戻る」ボタンＢ４がそれぞれ表示される。なお、「ＳＮＳ投稿」ボタンＢ２，Ｂ３は、この例では２種類のＳＮＳへの投稿ボタンを表示し、投稿先を選択できるようにしてある。
【００７１】
この撮影画像ページで「保存」ボタンＢ１を押すと、携帯端末６１のブラウザ６３は、画像管理部６４を介して画像記憶部６５に当該画像Ｐ６を格納する。これにより、撮影された画像Ｐ６を携帯端末６１に保存することが出来る。なお、このように画像を１枚ずつ保存する機能に加え、撮影グループページ（図５）で表示されたすべての画像Ｐ１〜Ｐ７をまとめてダウンロードできるようにする一括ダウンロードボタン（図示せず）を例えば撮影グループページに表示するようにしても良い。この場合、当該一括ダウンロードボタンが選択されると、ブラウザ６３は、画像の一括ダウンロード要求を管理サーバ１１（撮影メンバー配信部１８）へ送信し、撮影メンバーページ配信部１８は、ページ管理部１４を介してページ記憶部１６から当該画像Ｐ１〜Ｐ７の画像データを読み出し、携帯端末６１へ送信する。
【００７２】
また、「ＳＮＳ投稿」ボタンＢ２又はＢ３を押すとブラウザ６３は、当該携帯端末６１に記憶されているＳＮＳのアカウント情報（ＳＮＳ投稿ボタンＢ２，Ｂ３のタップにより選択されたＳＮＳのアカウント）を読み出し、読み出したＳＮＳアカウント情報と、画像を特定する情報（撮影ＩＤおよび画像番号）と、投稿先を特定する情報（投稿先特定情報）とを含む投稿要求をインターネット５１を介して管理サーバ１１へ送信する。なお、撮影メンバーページ（図５〜図８／後述のイベントページも同様）に表示される各画像Ｐ１〜Ｐ７の画像データには、撮影ＩＤと画像番号の情報が含まれている。
【００７３】
上記投稿要求を受信すると管理サーバ１１では、投稿要求に含まれる上記情報を撮影メンバー配信部１８が受け、ページ管理部１４を通じてページ記憶部１６から当該画像（撮影ＩＤおよび画像番号）の画像データを読み出し、読み出した画像データを、投稿要求に含まれているＳＮＳアカウント情報および投稿先特定情報と一緒にＳＮＳ投稿部２０に提供する。これを受けＳＮＳ投稿部２０は、投稿先特定情報によって特定されるＳＮＳのサーバ７１へインターネット５１を介して当該画像データおよびＳＮＳアカウント情報を送信する。ＳＮＳサーバ７１では、受信したアカウント情報に基づいてユーザページ管理部７２が当該アカウントのユーザのページに当該画像を掲載するようにユーザページ記憶部７３に格納されたユーザページを書き換え、投稿が完了する。
【００７４】
また、前記撮影画像ページ（図７）において、表示されている画像Ｐ６をタップすると、図８に示すコメント入力ページへ移動する。このページでは、画像Ｐ６とともに、コメント（テキスト）を入力可能なボックスＴと、コメントの送信を指示する「コメントする」ボタンＢ６と、撮影画像ページに戻るための「戻る」ボタンＢ５が表示される。テキスト入力ボックスＴにコメントを入力し、「コメントする」ボタンＢ６を押すとブラウザ６３は、当該入力されたコメントを、当該コメントの対象となった画像Ｐ６を特定する情報（撮影ＩＤと画像番号）とともにインターネット５１を通じて管理サーバ１１へ送信する。
【００７５】
そして管理サーバ１１では、送信されたコメントが撮影グループページ（図５，図６）の当該画像のサムネイルＰ６の下に表示されるように、撮影メンバーページ配信部１８がページ管理部１４を介してページ記憶部１６に記憶されている撮影グループページ（コメント）に関する情報を書き換え（コメントを追加し）、撮影グループページ（図５，図６）を更新する。更新された撮影グループページ（当該ページの表示に必要な情報）は、撮影メンバーページ配信部１８によってインターネット５１を通じて携帯端末６１へ送信される。これを受けてブラウザ６３は、更新された（新たなコメントが書き込まれた）撮影グループページ（図６）をディスプレイに表示する。
【００７６】
なお、コメントは、投稿された順に上から下へ順に並べて表示され、図６に示した例では、画像Ｐ１についてコメントＣ１〜Ｃ４が順に書き込まれて表示されており、画像Ｐ４についてコメントＣ５〜Ｃ７が順に書き込まれて表示されている。
【００７７】
〔イベントページ〕
一般参加者は、イベントページ（一般参加者サイト）にアクセスすることにより、イベント中に撮影されたすべての画像を閲覧し、これらの画像に対してコメントを書き込むことが可能である。
【００７８】
具体的には、イベント会場内のポスターや入場時に配布するパンフレットには、イベントページのＵＲＬと、ログインに必要なイベントＩＤとパスワードが掲載されており、参加者はこれらの情報を使用してインターネット５１経由で管理サーバ１１にアクセスする。なお、イベントページへのアクセスについても、前記エントリや撮影メンバーページへのアクセスと同様にＱＲコード（イベントページ用のＱＲコード）を使用するようにしても良い。
【００７９】
管理サーバ１１では、上記イベントページ用のＵＲＬによる接続を受けると、ログイン受付部１７が携帯端末６１に対してイベントＩＤとパスワードの入力を要求する。携帯端末６１からイベントＩＤとパスワードが送信されるとログイン受付部１７は、当該ＩＤとパスワードがページ記憶部１６に予め格納されているイベントＩＤとパスワードにそれぞれ一致するか判定し（ステップＳ１１０）、イベントＩＤとパスワードが共に一致する場合にはログインを許可し、イベントページ配信部１９にイベントページの配信先情報（当該ログインに係る携帯端末６１のアドレス）を提供する。一方、ＩＤとパスワードのいずれか又は両者が一致しない場合には、ログインを拒否する。
【００８０】
ログイン受付部１７によってログインが許可されるとイベントページ配信部１９は、イベントページの表示に必要な情報をページ管理部１４を介してページ記憶部１６から読み出し、インターネット５１を介して配信先となる上記携帯端末６１へ送信する。当該情報を受信するとブラウザ６３は、携帯端末６１のディスプレイ（図示せず）にイベントページを表示する。
【００８１】
図９は携帯端末６１のディスプレイに表示されるイベントページのトップページを示すもので、イベント中に形成されたすべての撮影グループをサムネイルＧ１〜Ｇ１２として並べて表示した目次ページとなっている。イベントページは、この目次ページと、目次ページの下層ページとなる撮影グループページ（前記図５〜図６と同様）と、さらにその下層ページとなるコメント入力ページ（前記図８と同様）とからなる階層構造となっている。
【００８２】
目次ページ（図９）の各サムネイルＧ１〜Ｇ１２は、当該撮影グループの代表画像を縮小表示したもので、これらＧ１〜Ｇ１２のいずれかをタップすると、当該撮影グループのすべての画像をサムネイル表示する撮影グループページ（図５〜図６と同様）が表示される。またこの撮影グループページでいずれかのサムネイルＰ１〜Ｐ７をタップすると、当該画像についてコメントを入力できるコメント入力ページ（図８と同様）が表示される。一般参加者はこのコメント入力ページで、前記撮影参加者と同様にコメントを書き込むことが可能である。なお、イベントページでは、前記撮影メンバーページと異なり、撮影画像ページ（図７）は無く、画像の保存やＳＮＳへの投稿は行うことは出来ない。
【００８３】
コメント入力ページ（図８）からコメントの書き込みが行われると、イベントページ配信部１９は前記撮影メンバーページ配信部１８と同様の処理を行う。すなわち、新たなコメントを追加して表示するように撮影グループページ（図５，図６）を更新し、更新された撮影グループページの表示に必要な情報を携帯端末６１へ送信する。携帯端末６１のブラウザ６３は、当該更新された撮影グループページをディスプレイに表示する。
【００８４】
〔第２実施形態〕
図１０は本発明の第２の実施形態に係るシステムの管理サーバ１１ａを示すもので、この実施形態は、前記第１実施形態で行ったエントリを不要としたシステムである。なお、以下の説明では、前記第１実施形態と同様の構成については同一の符号を付して重複した説明を省略し、相違点を中心に述べる（後述の第３実施形態についても同様）。
【００８５】
本実施形態のシステムは、前記第１実施形態のシステムと同様に、管理サーバ１１ａと、会場ＰＣと、デジタルカメラと、プリンタとを備えるものであるが（管理サーバ１１ａ以外は図示していない）、管理サーバ１１ａが、エントリ受付部に代え、撮影ＩＤ発行受付部１２ａを備えている。また、エントリ（ネームの入力）を行わないから、ページ記憶部１６ａはネームを格納しない。
【００８６】
図１１も参照して本実施形態のシステムでは、イベント参加者から撮影の希望を受けるとアシスタントが会場ＰＣ３１を操作してインターネット５１を介して管理サーバ１１ａへ撮影ＩＤの発行要求を送信する。管理サーバ１１ａはこの発行要求を受信すると、この要求を撮影ＩＤ発行受付部１２ａがページ管理部１４に伝える。ページ管理部１４はこの要求を受け、撮影ＩＤ発行部１３に撮影ＩＤを発行させ（ステップ２０１）、発行された撮影ＩＤをページ記憶部１６ａに格納するとともに（ステップ２０２）、撮影ＩＤ発行受付部１２ａへこれを提供し、撮影ＩＤ発行受付部１２ａはインターネット５１を通じて会場ＰＣ３１へ撮影ＩＤを送信する。会場ＰＣ３１では、撮影ＩＤを受信すると撮影管理部が、撮影ＩＤを撮影ＩＤ記憶部に格納し（ステップ２０３）、撮影ＩＤが発行され撮影準備が完了した旨の通知を、会場ＰＣのディスプレイに表示する（ステップ２０４）とともにカメラ４１に対し無線通信制御部を介して送信する。これにより撮影準備が完了する。
【００８７】
以降のカメラ４１による撮影（ステップ２０５）、受取証の発行（ステップ２０６）、管理サーバ１１ａによる画像の加工および保存（ステップ２０７〜２０８）、撮影メンバーページおよびイベントページの配信等の処理は、前記第１実施形態のシステムと同様である。
【００８８】
本実施形態のシステムによれば、撮影希望者にエントリの負担、すなわち、撮影に先立って携帯端末でエントリ用ＱＲコードを読み取ったりニックネームを入力するなどの手間をかけることがなく、イベント開催者側が直ちに撮影ＩＤを発行させてより迅速に撮影を行うことが出来る利点がある。
【００８９】
〔第３実施形態〕
図１２は本発明の第３の実施形態に係るシステムの管理サーバ１１ｂを示すもので、この実施形態では複数のイベントを管理サーバ１１ｂが管理する。
【００９０】
管理サーバ１１ｂが複数のイベントを管理するメリットは、異なる趣味嗜好を持ち普段接点のない者同士を結びつける新たなイベントを企画できる点にあり、既に詳しく述べたとおりであるからここでは説明を省略し、より具体的な構成について以下に述べる。
【００９１】
本実施形態のシステムは、前記第１実施形態のシステムと同様に、管理サーバ１１ｂと、会場ＰＣと、デジタルカメラと、プリンタとを備えるものであるが（前記第２実施形態と同様に管理サーバ１１ｂ以外は図示していない）、管理サーバ１１ｂのページ記憶部１６ｂが、複数のイベントに関する情報を記憶しており、ページ管理部１４はこれら複数のイベントに関する情報の格納、読み出しおよび更新を行う。
【００９２】
また、イベントページへのアクセスは、ページ記憶部１６ｂに記憶されているいずれのイベントの認証情報（イベントＩＤとパスワード）でも可能で、ログイン受付部１７は、当該いずれかの認証情報を受信するとイベントページへのログインを許可し、当該ログインに使用されたイベントＩＤと、イベントページの配信先情報（イベントページの配信要求を送信してきた携帯端末のアドレス）をイベントページ配信部１９に提供する。そして、イベントページ配信部１９は、前記第１実施形態と同様に、当該配信先へイベントページを配信する。
【００９３】
図１３は本実施形態におけるイベントページ（目次ページ／前記図９に相当）を示すものである。イベントページ配信部１９はこの図に示すように他のイベントのイベントページへの移動を可能とする「他のイベントを見る」ボタンＢ７を目次ページに表示させる。この「他のイベントを見る」ボタンＢ７をタップと、イベントページ配信部は、移動可能なイベントの一覧を表示して移動を希望するイベントを選択することを促す画面（ページ／図示せず）を携帯端末に送信する。そして、いずれかのイベントが選択されるとイベントページ配信部は、当該選択されたイベントページの表示に必要な情報をページ管理部１４を介してページ記憶部１６ｂから読み出し、携帯端末へ配信する。これにより、他のイベントのイベントページへ移動することができ、移動前のイベントページと同様に、異なるイベントの画像を閲覧しコメントを書き込むことが出来る。
【００９４】
コメントの書き込みがあった場合にはイベントページ配信部１９は、当該コメントを書き込んだ携帯端末がログイン時に使用したイベントＩＤを、書き込まれたコメントに関連付けてページ記憶部１６ｂに格納する。図１４は、ページ記憶部１６ｂの情報記憶テーブルの一例を示すもので、コメントを書き込んだ書込者のイベントＩＤ「2017hwpe」が書き込んだコメント「楽しそう」に、書込者のイベントＩＤ「2017hwpe」がコメント「ステキ！」に、書込者のイベントＩＤ「2015xmas」がコメント「いいね！」にそれぞれに関連付けられて記憶されている。
【００９５】
さらに本実施形態のシステムでは、管理サーバ１１ｂが、前記認証情報（イベントＩＤ）に対応するイベントと、書き込みの対象となった画像に係るイベントとが異なるコメントをページ記憶部１６ｂから抽出するコメント検索部２２を備えており、このコメント検索部２２を使用することにより異イベント間で書き込まれたコメント（書込者のイベントＩＤが示すイベントと、書き込みの対象となった画像が属するイベントが異なるコメント）をピックアップすることが出来る。
【００９６】
そして、前に述べたように、異イベント間で書き込まれたコメントのうち、最も多いイベントの組み合わせ（書込者のイベントＩＤに係るイベントと、書込み対象画像が属するイベント）で、合同の新たなイベントを企画したり、さらにこれに２番目に多いイベント組み合わせを含めた、３〜４種類のイベントの参加者を対象とした合同イベントを企画するなど、成功確率の高い新たな出会いの場を提供することが出来る。
【００９７】
なお、このような新たなイベントの告知は、例えば、各イベントページに開催の案内を掲載することにより行えば良い。
【００９８】
以上、本発明の実施の形態について説明したが、本発明はこれらに限定されるものではなく、特許請求の範囲に記載の範囲内で種々の変更を行うことができることは当業者に明らかである。
【００９９】
例えば、前記実施形態では携帯端末としてスマートフォンを使用することとしたが、他の端末、例えばノートＰＣやタブレットＰＣ、デスクトップＰＣなどであっても良い。また、コンピュータや携帯端末には、ディスプレイやキーボードなどを表示していないがこれらを備えていることは勿論である。また、前記実施形態ではシステム内に１台のサーバのみを示したが、イベント管理サーバを互いに連携する複数台のサーバにより構成し、これらのサーバで分散処理を行うようにすることも可能である。さらに、前記実施形態では二次元コードとしてＱＲコードを使用したが、他の二次元コードやバーコード等を使用することも出来る。
【０１００】
また、第３実施形態（図１２）では２つのイベント（イベントＡとイベントＢ）しか示していないが、イベントの数は３つ以上であっても良い。さらに、撮影メンバーページやイベントページにおいてコメントだけでなく、所謂スタンプ（テキストメッセージに挿入できるイラスト）を添えられるようにしても良い。また、イベントの種類や開催者は特に限定されず、様々な種類のイベントや開催者であって良い。
【符号の説明】
【０１０１】
１１，１１ａ，１１ｂ  イベント管理サーバ
１２  エントリ受付部
１２ａ  撮影ＩＤ発行受付部
１３  撮影ＩＤ発行部
１４  ページ管理部
１５  画像加工部
１６，１６ａ，１６ｂ  ページ記憶部
１７  ログイン受付部
１８  撮影メンバーページ配信部
１９  イベントページ配信部
２０  ＳＮＳ投稿部
２１，３７，６６，７４  通信制御部
２２  コメント検索部
３１  イベント会場ＰＣ
３２  撮影管理部
３３  撮影ＩＤ記憶部
３４  受取証発行部
３５  ＱＲコード生成部
３６  無線通信制御部
４１  カメラ
４２  プリンタ
５１  ネットワーク（インターネット）
６１  携帯端末（スマートフォン）
６２  ＱＲコード読取部
６３  Ｗｅｂブラウザ
６４  画像管理部
６５  画像記憶部
７１  ＳＮＳサーバ
７２  ユーザページ管理部
７３  ユーザページ記憶部
８１  受取証
８２  ＱＲコード
Ｂ１  画像保存ボタン
Ｂ２，Ｂ３  ＳＮＳ投稿ボタン
Ｂ４，Ｂ５  前画面に戻るボタン
Ｂ６  コメントの送信を指示するボタン
Ｂ７  他のイベントページへ移動するボタン
Ｃ１〜Ｃ７  コメント
Ｇ１〜Ｇ１２  撮影グループを表示する代表画像（サムネイル表示）
Ｐ１〜Ｐ７  サムネイル表示または通常表示された撮影画像
Ｔ  テキスト入力用ボックス
【図１】
2019008737.tif 000003
【図２】
2019008737.tif 000004
【図３】
2019008737.tif 000005
【図４】
2019008737.tif 000006
【図５】
2019008737.tif 000007
【図６】
2019008737.tif 000008
【図７】
2019008737.tif 000009
【図８】
2019008737.tif 000010
【図９】
2019008737.tif 000011
【図１０】
2019008737.tif 000012
【図１１】
2019008737.tif 000013
【図１２】
2019008737.tif 000014
【図１３】
2019008737.tif 000015
【図１４】
2019008737.tif 000016